(57)【要約】      （修正有）【課題】例えば取付部がガラス面のような平坦面であっても容易に取付けたり取外しができ、取外し後でもネジ穴や粘着材のような汚れの跡が残らず、磁性材料からなる取付面に対しては強固に取付けることができ、風呂場・洗面所や経年使用においても吸着力が低下することがなく、また、取付後も容易に位置調整が可能であって、しかもガラス板、磁性材料からなる金属板以外にも適用可能であって何度でも繰り返して使用可能なフックを提供する。【解決手段】フック部１と、このフック部が前面側に設けられた第１のマグネット２と、この第１のマグネットと取付部５を介し取付部背面側に対向配置され、第１のマグネットと吸着可能な第２のマグネット３とを備える。【選択図】図１
0003140942.tif 000002
【実用新案登録請求の範囲】
【請求項１】
フック部（１）と、このフック部（１）が前面側に設けられた第１のマグネット（２）と、この第１のマグネット（２）と取付部（５）を介し取付部背面側に対向配置され、第１のマグネット（２）と吸着可能な第２のマグネット（３）とを備えてなることを特徴とするフック。
【請求項２】
請求項１記載のフックにおいて、前記フックは、前記第１のマグネット（２）の背面と前記取付部（５）の前面との間に配置される吸着性を有し、かつ滑り止めとしてのスペーサ（４）を備えてなることを特徴とするフック。
【請求項３】
請求項１記載のフックにおいて、前記第１、第２のマグネット（２）、（３）は、ネオジム磁石またはフェライト磁石からなることを特徴とするフック。
【考案の詳細な説明】
【技術分野】
【０００１】
この考案は、フック、特にガラス面のような平滑面に対しても容易に着脱自在で、かつ取り外し後でも跡が残らない壁掛け式タイプのフックに関する。
【背景技術】
【０００２】
壁掛け式フックとしては、種々のタイプのものがあるが、代表的なものとして、例えば壁にネジやピン等を用いて取付けるタイプ（特開２００３−０６５３１５）、吸盤式フック（実用新案登録第３１３４４５０）や、剥離自在な粘着テープを用いた粘着式フック（特開２００４−０５７４５６）等がある。
【特許文献１】特開２００３−０６５３１５号公報
【特許文献２】実用新案登録第３１３４４５０号
【特許文献３】特開２００４−０５７４５６号公報
【考案の開示】
【考案が解決しようとする課題】
【０００３】
ネジやピン式のものは、壁に穴を開けて固定するため、フックを取外した後、穴の跡が残り美感を損ねるという課題がある。
また、取付面がガラスの場合、ガラスが割れてしまうため、ガラス面に対しては適用できない。
さらに、金属面に対しては、特殊な工具を用いなければ穴を開けることができず一般家庭での使用には不向きである。
【０００４】
吸盤式のものは、取外した跡でも取付面にネジ穴のような跡が残らず、かつ容易に取付面に取付けることができる利点を有する反面、取付面の表面が硬質であってほぼ完全に平坦なガラス面、金属面、コーティングにより平坦に表面処理された木材、プラスチック等にしか使用できない。
また、風呂場、洗面台のような湿気の多い場所での使用は湿気により吸盤の吸着力が弱くなり、取付面から容易に脱落するという課題もあった。
さらに、何回も取付け・取外しを頻繁に繰り返したり、経年使用においては、ゴムのような弾性材からなる吸盤部分の材質劣化により吸着力が弱くなったり、特に長期にわたって吸着させていると取付面と吸盤部との間に空気や湿気等が侵入し、吸着力が低下し、ひいては脱落するという課題もあった。
さらにまた、吸盤式のものは吸着力が弱いため、余り重いものは吊るすことができないという課題がある。
【０００５】
粘着式フックも取付作業を簡便に行うことができるが、取外し後、取付面に粘着剤がこびり付いていることが多く、その汚れが目立ち、残った接着剤もなかなか拭き取りにくく、除去するのに鉄ヘラや特殊な溶剤などが必要となり、取付面を著しく痛めてしまい、美感を損なうという課題があった。
【０００６】
また、粘着式フックは、使用し、取外すと粘着力が低下してしまうため、繰り返して使用することができない、という課題もある。
【０００７】
また、これらの取付面に対し、ネジを用いて取付けるフック、吸盤式フック、粘着式フックは、取付面への取付位置が異なった場合、位置をズラして取付位置を簡単に調整できない、という共通の欠点もあった。
なお、吸盤式フックは位置調整は多少可能であるものの、その際取付面から脱落したり、当初の取付位置に吸盤の跡が残ったりするという欠点があった。
【０００８】
この考案は上記のことに鑑み提案されたもので、その目的とするところは、例えば取付部がガラス面のような平坦面であっても容易に取付けたり取外しができ、取外し後でもネジ穴や粘着材のような汚れの跡が残らず、磁性材料からなる取付面に対しては強固に取付けることができ、風呂場・洗面所や経年使用においても吸着力が低下することがなく、また、取付後も容易に位置調整が可能であって、しかもガラス板、磁性材料からなる金属板以外にも適用可能であって何度でも繰り返して使用可能なフックを提供することにある。
【課題を解決するための手段】
【０００９】
請求項１の考案は、フック部１と、このフック部１が前面側に設けられた第１のマグネット２と、この第１のマグネット２と取付部５を介し取付部背面側に対向配置され、第１のマグネット２と吸着可能な第２のマグネット３とを備えてなることを特徴とする。
請求項２の考案は、請求項１記載のフックにおいて、前記フックは、前記第１のマグネット２の背面と前記取付部５の前面との間に配置される吸着性を有し、かつ滑り止めとしてのスペーサ４を備えてなることを特徴とする。
請求項３の考案は、請求項１記載のフックにおいて、前記第１、第２のマグネット２、３は、ネオジム磁石またはフェライト磁石からなることを特徴とする。
【考案の効果】
【００１０】
請求項１、２記載の本考案によれば、取付面への取付けはフックを構成する第１、第２のマグネット２、３の吸着作用により取付けるようにしているため、第１、第２のマグネット２、３相互間の吸着作用が及ぶものであれば、ガラス板、金属板、その他の部材であっても容易に取付、取外しが自在であり、取付後に取付位置調整もでき、取外し後は取付面に跡が残らず、繰り返し何度でも再使用可能であるという効果を有す。
請求項３記載の本考案によれば、ネオジム磁石を用いれば取付部に強固に取付けることができ、重い吊り下げ物であっても確実に支持することができる。また、フェライト磁石を用いればコスト安を図ることができる。
本考案は、学校、会社、病院、一般家庭、レストラン、美術館等の間仕切りや窓ガラス等に広範囲にわたって容易に使用できる。
【考案を実施するための最良の形態】
【００１１】
以下、図面に沿って本発明の実施例を説明する。
【実施例１】
【００１２】
図１は本考案の一実施例の概略側断面図を示す。
【００１３】
図中１は、例えばハンガー、その他のものを吊り下げるフック部で、吊り下げ易さの観点から好ましくは側面から見て断面ほぼJ字状をなしているが、必ずしもこの形状に限定されるものではない。
【００１４】
材質としては、樹脂製、磁性材料からなる金属製、非磁性材料からなる金属製等のものの中から、使用目的、コスト、製造性等に応じて適宜選択すれば良い。
【００１５】
２は所定の厚みを有するほぼ板状の第１のマグネットである。この第１のマグネット２の正面形状は一般的にはほぼ矩形をなすが、長円形、楕円形、その他の形状とし、見た目に美感を想起させるようにデザイン化した形状としても良い。
【００１６】
この第１のマグネット２の前面には前記フック部１の背部が接着剤を介し接着される。フック部１を磁性体とした場合、接着材の接着力と第１のマグネット２の磁力に基づく吸着力とによって強固に両者を一体化することができる。吊り下げ物が磁気を帯びることが好ましくない場合、樹脂製のフック部１とすれば良い。なお、図示例では、第１のマグネット２の前面に直接フック部１を設けた場合について示したが、必要に応じ薄板状の磁気遮蔽板等をフック部１と第１のマグネット２との間に介在させても良い。また、確実にフック部１と第１のマグネット２とを一体化できるようフック部１の後部に箱状の取付部（図示せず）８を一体に設け、第１のマグネット２を箱状の取付部内に収納し、第１のマグネット２を抱持するようにして一体化しても良い。
【００１７】
４は第１のマグネット２の背面と取付部５の前面との間に介設される薄手のスペーサであり、吸着機能を有し、また、摩擦材としての機能を有し、吸着機能により糊のような別途の接着手段を用いずとも第１のマグネット２の背面または取付面に取付けることができる材質からなる。また、同時にこのスペーサ４を設けることにより取付部５の表面に傷が付かないよう表面を保護することができる。
【００１８】
スペーサ４としては、商品名フィックスフィルム（フジコピアン株式会社製）を用いると好適である。この部材はＰＥＴ材の上に吸着剤がコーティグされ、何度でも貼ったり、剥がしたりすることができる。また、商品名ミューフィット（アクト株式会社製）を用いても良い。「μ−フィット」発泡アクリル系樹脂そのものが平滑面に対して効果を有し、繰り返しの使用が可能である。その他としては安価なゴム材等を用いるなどしても良い。
【００１９】
取付部５の背面側であって第１のマグネット２とほぼ対向する位置にはフック部１を有する第１のマグネット吸着固定用の第２のマグネット３が対向配置される。
【００２０】
第１のマグネット２の背面部と、取付部５を挟んでこれとほぼ対向する第２のマグネット３の前面（対向面）の磁極は異極となっており、相互に吸着作用を奏するようになっている。
【００２１】
このように、本考案のフックは、少なくともフック部１と、第１、第２のマグネット２、３とを備えて構成される。また、これらに加え必要に応じスペーサ４を備える。
【００２２】
第１、第２のマグネットとしては、ネオジム磁石（Nd2Fe14B）を用いると好ましい。このネオジム磁石は、ネオジム、鉄、ホウ素を主成分とする希土類磁石で、永久磁石の中で最も磁力が強く、割れや欠けが少なく機械的強度にも優れているためである、しかし、錆びやすいので、表面にコーティング処理を行えば湿度の高い場所での使用が可能となる。また、欠けも防止できる。大型のネオジム磁石は吸着力が５０ｋｇ以上あるため、フック部１を介し吊り下げ物が重くとも容易に吊り下げることができる。
【００２３】
図２（ａ）〜（ｃ）は第１、第２のマグネット２、３の厚みを異ならせた例を示す。着磁や厚みに応じ吸着力を異ならせ、目的と用途に応じ所望の吸着力を有する厚みのマグネットを選択するようにしても良い、
【００２４】
また、吊り下げ物が軽量な場合、マグネットとして、フェライト磁石を用いても良い。フェライト磁石は、粉末冶金法による焼結品で、高い磁場を必要としない場合に使用され、非常に安価であるという利点がある。割れ易いが表面をコーティングすれば強度を上げることができる。
【００２５】
本考案によれば、図３に示すように、取付部５の前面５ａが凹凸状になっていたり、取付部５に多少の厚みがあっても、第１、第２のマグネット２、３相互が吸着できれば使用し得る。
【００２６】
また、使用の態様として、図４に示すように、取付部５の背面側にも表面保護、位置ズレ防止等の目的でスペーサ４を介設しても良い。
【００２７】
図５は使用の一例を示す。
【００２８】
本考案は、例えば取付部５がガラス面であっても表面の所定の位置に、少なくとも一以上のフック付きマグネット２をセットし、ガラス面背後に、第１のマグネット２と取付部５を介して吸着する第２のマグネット３をセットすればフックを簡単に取付部５にセットすることができる。
【００２９】
この場合、吸着・摩擦作用を有するスペーサ４を介在させれば取付け易く、また吊り下げ物の重みによってフックがズレることを防止し得る。また、フックを取付部５に取付けた際に取付位置がズレていたような場合、力を加えて適正位置に調整することができる。この調整は何度でも行うことができる。
【００３０】
吊り下げ物６が多少重量のあるボード状のような場合、図示例ではフックが一対であるが、増設したり、所望の吸着力を有する厚みのマグネットを選択することで容易に対応することができる。
【００３１】
本考案の適用例としては、学校、施設の生徒の作品展示や、廊下や教室の窓ガラスにも手軽に掲示でき、繰り返し使えることで、頻繁に入れ替わる学校の掲示物に対応できる。取外した際、掲示した箇所には傷みや汚れはないといった利点がある。
また、美術館や芸術家の作品展示の新手法として使用することができる。取付部５としては、窓ガラスやベニヤ板、アクリル板、スチロール板その他あらゆる非金属板や、磁気で引き付けられない金属の板に作品を掛けることが可能になる。磁性材料からなる取付部５にも適用できる。
さらに、飲食店でガラス窓や仕切りにメニュー、ＯＰＥＮ／ＣＬＯＳＥ等営業看板の掲示用に使用することが考えられる。これも頻繁に入れ替わるものなので繰り返し使えて穴も開かないので非常に有効である。
さらにまた、ユニットバスなどのシャワーカーテンにシャワー用品を吊るしておけるほか、鏡に、カーテンなどの布に、ロールスクリーンに、ダンボールにも使用できる。また、玄関の扉のガラス部分にお正月、クリスマスなどのシーズン装飾をする目的にも有効である。
【図面の簡単な説明】
【００３２】
【図１】本考案の一実施例の概略側断面図を示す。
【図２】（ａ）〜（ｂ）は本考案に用いられる厚みの異なる各種マグネットの例を示す。
【図３】本考案の一適用例を示す。
【図４】本考案の他の適用例を示す。
【図５】本考案の一使用例を示す。
【符号の説明】
【００３３】
１        フック部
２        第１のマグネット
３        第２のマグネット
４        スペーサ
５        取付部
５ａ      取付面
【図１】
0003140942.tif 000003
【図２】
0003140942.tif 000004
【図３】
0003140942.tif 000005
【図４】
0003140942.tif 000006
【図５】
0003140942.tif 000007